(57)【要約】【課題】顧客の肌色に適したメイクアップカラーの配色を、簡単かつ的確な手法で顧客に提示することのできる方法およびそれに用いる装置を提供する。【解決手段】メイクアップ対象者の特定部位の肌色のＲＧＢ値（赤色系成分の数値：Ｒ値、緑色系成分の数値：Ｇ値、青色系成分の数値：Ｂ値）を、画像情報処理手段１を用いて測定し、得られたＲ値、Ｇ値、Ｂ値の少なくとも一つの値を、特定の変換式にしたがって変換し、変換後のＲＧＢ値に対応する色見本を、上記メイクアップ対象者の肌色に適したメイクアップカラーとして提示するようにした。【選択図】図１
2008301882.tif 000002
【特許請求の範囲】
【請求項１】
メイクアップ対象者の特定部位の肌色のＲＧＢ値（赤色系成分の数値：Ｒ値、緑色系成分の数値：Ｇ値、青色系成分の数値：Ｂ値）を、画像情報処理手段を用いて測定し、得られたＲ値、Ｇ値、Ｂ値の少なくとも一つの値を、特定の変換式にしたがって変換し、変換後のＲＧＢ値に対応する色見本を、上記メイクアップ対象者の肌色に適したメイクアップカラーとして提示するようにしたことを特徴とするメイクアップカラーの配色提示方法。
【請求項２】
下記の工程（１）〜（３）を有する請求項１記載のメイクアップカラーの配色提示方法。
（１）メイクアップ対象者の特定部位の肌色のＲＧＢ値を、画像情報処理手段を用いて測定する工程。
（２）得られたＲＧＢ値から（Ｂ／Ｒ）の値を算出し、この値が、予め設定された基準値から上になる場合、撮像された肌色をピンク系として分類し、上記基準値から下になる場合、撮像された肌色をイエロー系として分類する工程。
（３）上記肌色がピンク系に分類された場合、上記肌色のＲＧＢ値のうち、Ｇ値、Ｂ値をそれぞれ１／２としたＲＧＢ値となる色を、その肌色に適した基本口紅色として提示し、上記肌色がイエロー系に分類された場合、上記肌色のＲＧＢ値のうち、Ｇ値を１／２としたＲＧＢ値となる色を、その肌色に適した基本口紅色として提示する工程。
【請求項３】
上記工程（１）〜（３）を有し、さらに、下記の工程（４）を有する請求項２記載のメイクアップカラーの配色提示方法。
（４）上記基本口紅色のＲＧＢ値の、Ｒ値、Ｇ値、Ｂ値をそれぞれ１／２にした色と、同じく上記基本口紅色のＲＧＢ値の、Ｒ値、Ｇ値、Ｂ値をそれぞれ１／３にした色とを、その肌色に適したポイントメイクの色として提示する工程。
【請求項４】
上記工程（４）において、その肌色に適したポイントメイクの色として、さらに、上記肌色に適した基本口紅色の補色を提示するようにした請求項３記載のメイクアップカラーの配色提示方法。
【請求項５】
上記工程（１）〜（３）を有し、さらに、上記肌色がピンク系に分類された場合、下記の工程（５）を有し、上記肌色がイエロー系に分類された場合、下記の工程（６）を有する請求項２記載のメイクアップカラーの配色提示方法。
（５）上記ピンク系に分類された肌色のＲＧＢ値の、Ｒ値、Ｇ値、Ｂ値をそれぞれ１／２にした色と、同じく上記肌色のＲＧＢ値の、Ｒ値、Ｇ値、Ｂ値をそれぞれ１／３にした色と、同じく上記肌色のＲＧＢ値の、Ｇ値をＢ値と同値にした色とを、その肌色に適したポイントメイクの色として提示する工程。
（６）上記イエロー系に分類された肌色のＲＧＢ値の、Ｒ値、Ｇ値、Ｂ値をそれぞれ１／２にした色と、同じく上記肌色のＲＧＢ値の、Ｒ値、Ｇ値、Ｂ値をそれぞれ１／３にした色と、同じく上記肌色のＲＧＢ値の、Ｇ値をＲ値と同値にした色とを、その肌色に適したポイントメイクの色として提示する工程。
【請求項６】
上記工程（５）および工程（６）の各工程において、その肌色に適したポイントメイクの色として、さらに、上記肌色の補色を提示するようにした請求項５記載のメイクアップカラーの配色提示方法。
【請求項７】
請求項１記載のメイクアップカラーの配色提示方法に用いられる装置であって、メイクアップ対象者の特定部位の肌色を撮像し、その肌色を赤色系成分と緑色系成分と青色系成分の３成分に分けてＲＧＢ値（赤色系成分の数値：Ｒ値、緑色系成分の数値：Ｇ値、青色系成分の数値：Ｂ値）として出力する画像情報処理手段と、上記出力されたＲＧＢ値を処理するための情報処理手段と、これに接続される画面表示手段とを備え、上記情報処理手段には、上記ＲＧＢ値の、Ｒ値、Ｇ値、Ｂ値の少なくとも一つの値を、特定の変換式にしたがって変換することにより、メイクアップ対象者の肌色に適したメイクアップカラーのＲＧＢ値を導出する変換処理手段と、ＲＧＢ値ごとに、そのＲＧＢ値に対応する色見本を取り出すことのできる色見本データとが設けられており、上記変換処理手段によって導出されたＲＧＢ値に対応する色見本が、上記画面表示手段に表示されるようになっていることを特徴とするメイクアップカラーの配色提示装置。
【請求項８】
請求項７記載の変換処理手段として、上記画像情報処理手段から出力された（Ｂ／Ｒ）の値を算出し、この値を、予め設定された基準値と対比して、基準値から上になる肌色をピンク系、基準値から下になる肌色をイエロー系として分類する肌色分類手段と、上記肌色分類手段によって肌色がピンク系に分類された場合、上記肌色のＲＧＢ値のうち、Ｇ値、Ｂ値をそれぞれ１／２としたＲＧＢ値を、その肌色に適した基本口紅色のＲＧＢ値として導出し、上記肌色がイエロー系に分類された場合、上記肌色のＲＧＢ値のうち、Ｇ値を１／２としたＲＧＢ値となる色を、その肌色に適した基本口紅色のＲＧＢ値として導出するよう設定された口紅色変換手段とが設けられており、上記口紅色変換手段によって導出された基本口紅色のＲＧＢ値に対応する色見本が、メイクアップ対象者の肌色に適した口紅色として、上記画面表示手段の画面上に表示されるようになっている請求項７記載のメイクアップカラーの配色提示装置。
【請求項９】
請求項８記載の変換処理手段として、上記肌色分類手段および口紅色変換手段とともに、上記口紅色変換手段によって導出された基本口紅色のＲＧＢ値の、Ｒ値、Ｇ値、Ｂ値をそれぞれ１／２にしたＲＧＢ値と、同じく上記基本口紅色のＲＧＢ値の、Ｒ値、Ｇ値、Ｂ値をそれぞれ１／３にしたＲＧＢ値とを、その肌色に適したポイントメイクの色のＲＧＢ値として導出するよう設定されたポイントメイク色変換手段が設けられており、上記ポイントメイク色変換手段によって導出されたポイントメイクの色のＲＧＢ値に対応する色見本が、メイクアップ対象者の肌色に適したポイントメイクの色として、上記画面表示手段の画面上に表示されるようになっている請求項８記載のメイクアップカラーの配色提示装置。
【請求項１０】
請求項９記載の変換処理手段として、上記肌色分類手段、口紅色変換手段およびポイントメイク色変換手段とともに、上記口紅色変換手段によって導出された基本口紅色のＲＧＢ値から、その補色となる色のＲＧＢ値を導出するよう設定された補色変換手段が設けられており、上記補色変換手段によって導出された、基本口紅色の補色のＲＧＢ値に対応する色見本が、メイクアップ対象者の肌色に適したポイントメイクの色として、上記画面表示手段の画面上に表示されるようになっている請求項９記載のメイクアップカラーの配色提示装置。
【請求項１１】
請求項８記載の変換処理手段として、上記肌色分類手段および口紅色変換手段とともに、上記肌色分類手段によって肌色がピンク系に分類された場合、上記肌色のＲＧＢ値の、Ｒ値、Ｇ値、Ｂ値をそれぞれ１／２にしたＲＧＢ値と、同じく上記肌色のＲＧＢ値の、Ｒ値、Ｇ値、Ｂ値をそれぞれ１／３にしたＲＧＢ値と、同じく上記肌色のＲＧＢ値の、Ｇ値をＢ値と同値にしたＲＧＢ値とを、その肌色に適したポイントメイクの色のＲＧＢ値として導出し、上記肌色分類手段によって肌色がイエロー系に分類された場合、上記肌色のＲＧＢ値の、Ｒ値、Ｇ値、Ｂ値をそれぞれ１／２にしたＲＧＢ値と、同じく上記肌色のＲＧＢ値の、Ｒ値、Ｇ値、Ｂ値をそれぞれ１／３にしたＲＧＢ値と、同じく上記肌色のＲＧＢ値の、Ｇ値をＲ値と同値にしたＲＧＢ値とを、その肌色に適したポイントメイクの色のＲＧＢ値として導出するよう設定されたポイントメイク色変換手段とが設けられており、上記ポイントメイク色変換手段によって導出されたポイントメイクの色のＲＧＢ値に対応する色見本が、メイクアップ対象者の肌色に適したポイントメイクの色として、上記画面表示手段の画面上に表示されるようになっている請求項８記載のメイクアップカラーの配色提示装置。
【請求項１２】
請求項１１記載の変換処理手段として、上記肌色分類手段、口紅色変換手段、ポイントメイク色変換手段とともに、上記画像情報表示手段から出力された肌色のＲＧＢ値から、その補色となる色のＲＧＢ値を導出するよう設定された補色変換手段が設けられており、上記補色変換手段によって導出された、その肌色の補色のＲＧＢ値に対応する色見本が、メイクアップ対象者の肌色に適したポイントメイクの色として、上記画面表示手段の画面上に表示されるようになっている請求項１１記載のメイクアップカラーの配色提示装置。
【発明の詳細な説明】
【技術分野】
【０００１】
本発明は、化粧品販売員や美容員等が顧客に対して行うメイクアップカラーの配色提示方法およびそれに用いる装置に関するものである。
【背景技術】
【０００２】
ファンデーション、リップカラー、アイカラー等のメイクアップ化粧品は、化粧品の種類ごとに、それぞれ豊富な色が用意されており、顧客は、自分の好みで、あるいは化粧品販売員や美容員によるアドバイスを受けて、自分に適した色のメイクアップ化粧品を選択することができるようになっている。
【０００３】
しかしながら、メイクアップ化粧品の色（本願では、これを「メイクアップカラー」という）の選択は、顔全体の印象を左右するため、自分の肌の色を考慮した上で、慎重に選択する必要がある。すなわち、メイクアップによって、自分の顔に、どのようなイメージをもたせたいかを明確に持っていても、ベースとなる肌色との組み合わせによって、色の効果に大きな違いがあるため、肌色との相性を充分に理解した上で、メイクアップカラーを選択しなければ、イメージ通りのメイクアップを実現することはできず、かえって印象が悪くなるおそれがあるからである。しかも、ベースとなる肌色は、通常、素肌の上に重ねられたファンデーションの色であり、その色は千差万別である。
【０００４】
そこで、化粧品販売員等が顧客に対し、店頭で効率よくメイクアップカラーに関しアドバイスを与えるための手法として、例えば、予め肌の色とメイクアップカラーの関係をデータ化しておき、店頭で顧客の肌の色を測定した後、その肌色に似合うメイクアップカラーを選択して推奨する方法がいくつか提案されている（特許文献１、２等参照）。
【特許文献１】特許第２８７２９１２号公報
【特許文献２】特許第３３９０５５８号公報
【発明の開示】
【発明が解決しようとする課題】
【０００５】
しかし、上記特許文献１の方法は、肌色とメイクアップカラーの明度差のみを指標とするため、「調和する」、「調和しない」の大まかな判断をするには好都合であるものの、色相や彩度の異なる様々な色味のものを、統一感をもたせて組み合わせるには不向きである。
【０００６】
また、上記特許文献２の方法は、リップカラーをアドバイスするのに、肌色とリップカラーとの色相差、明度差、彩度差を指標とするものであるが、「色相」、「明度」、「彩度」は、互いに独立する色の３属性であるため、これらを統一した指標として取り扱うことはできず、３つの指標に順次照らして判定するという手順が必要となり煩雑であるという問題がある。また、判定のためのデータも、上記３要素のそれぞれについて別個に作成しなければならず、多大な作業を要するという問題がある。
【０００７】
本発明は、このような事情に鑑みなされたもので、顧客の肌色に適したメイクアップカラーの配色を、簡単かつ的確な手法で顧客に提示することのできる方法およびそれに用いる装置の提供をその目的とする。
【課題を解決するための手段】
【０００８】
上記の目的を達成するため、本発明は、メイクアップ対象者の特定部位の肌色のＲＧＢ値（赤色系成分の数値：Ｒ値、緑色系成分の数値：Ｇ値、青色系成分の数値：Ｂ値）を、画像情報処理手段を用いて測定し、得られたＲ値、Ｇ値、Ｂ値の少なくとも一つの値を、特定の変換式にしたがって変換し、変換後のＲＧＢ値に対応する色見本を、上記メイクアップ対象者の肌色に適したメイクアップカラーとして提示するようにしたメイクアップカラーの配色提示方法を第１の要旨とする。
【０００９】
また、本発明は、そのなかでも、特に、下記の工程（１）〜（３）を有するメイクアップカラーの配色提示方法を第２の要旨とする。
（１）メイクアップ対象者の特定部位の肌色のＲＧＢ値を、画像情報処理手段を用いて測定する工程。
（２）得られたＲＧＢ値から（Ｂ／Ｒ）の値を算出し、この値が、予め設定された基準値から上になる場合、撮像された肌色をピンク系として分類し、上記基準値から下になる場合、撮像された肌色をイエロー系として分類する工程。
（３）上記肌色がピンク系に分類された場合、上記肌色のＲＧＢ値のうち、Ｇ値、Ｂ値をそれぞれ１／２としたＲＧＢ値となる色を、その肌色に適した基本口紅色として提示し、上記肌色がイエロー系に分類された場合、上記肌色のＲＧＢ値のうち、Ｇ値を１／２としたＲＧＢ値となる色を、その肌色に適した基本口紅色として提示する工程。
【００１０】
さらに、本発明は、そのなかでも、特に、上記工程（１）〜（３）を有し、さらに、下記の工程（４）を有するメイクアップカラーの配色提示方法を第３の要旨とする。
（４）上記基本口紅色のＲＧＢ値の、Ｒ値、Ｇ値、Ｂ値をそれぞれ１／２にした色と、同じく上記基本口紅色のＲＧＢ値の、Ｒ値、Ｇ値、Ｂ値をそれぞれ１／３にした色とを、その肌色に適したポイントメイクの色として提示する工程。
【００１１】
そして、本発明は、そのなかでも、特に、上記工程（４）において、その肌色に適したポイントメイクの色として、さらに、上記肌色に適した基本口紅色の補色を提示するようにしたメイクアップカラーの配色提示方法を第４の要旨とする。
【００１２】
また、本発明は、前記第２の要旨である発明のなかでも、特に、上記工程（１）〜（３）を有し、さらに、上記肌色がピンク系に分類された場合、下記の工程（５）を有し、上記肌色がイエロー系に分類された場合、下記の工程（６）を有するメイクアップカラーの配色提示方法を第５の要旨とする。
（５）上記ピンク系に分類された肌色のＲＧＢ値の、Ｒ値、Ｇ値、Ｂ値をそれぞれ１／２にした色と、同じく上記肌色のＲＧＢ値の、Ｒ値、Ｇ値、Ｂ値をそれぞれ１／３にした色と、同じく上記肌色のＲＧＢ値の、Ｇ値をＢ値と同値にした色とを、その肌色に適したポイントメイクの色として提示する工程。
（６）上記イエロー系に分類された肌色のＲＧＢ値の、Ｒ値、Ｇ値、Ｂ値をそれぞれ１／２にした色と、同じく上記肌色のＲＧＢ値の、Ｒ値、Ｇ値、Ｂ値をそれぞれ１／３にした色と、同じく上記肌色のＲＧＢ値の、Ｇ値をＲ値と同値にした色とを、その肌色に適したポイントメイクの色として提示する工程。
【００１３】
そして、本発明は、そのなかでも、特に、上記工程（５）および工程（６）の各工程において、その肌色に適したポイントメイクの色として、さらに、上記肌色の補色を提示するようにしたメイクアップカラーの配色提示方法を第６の要旨とする。
【００１４】
また、本発明は、前記第１の要旨であるメイクアップカラーの配色提示方法に用いられる装置であって、メイクアップ対象者の特定部位の肌色を撮像し、その肌色を赤色系成分と緑色系成分と青色系成分の３成分に分けてＲＧＢ値（赤色系成分の数値：Ｒ値、緑色系成分の数値：Ｇ値、青色系成分の数値：Ｂ値）として出力する画像情報処理手段と、上記出力されたＲＧＢ値を処理するための情報処理手段と、これに接続される画面表示手段とを備え、上記情報処理手段には、上記ＲＧＢ値の、Ｒ値、Ｇ値、Ｂ値の少なくとも一つの値を、特定の変換式にしたがって変換することにより、メイクアップ対象者の肌色に適したメイクアップカラーのＲＧＢ値を導出する変換処理手段と、ＲＧＢ値ごとに、そのＲＧＢ値に対応する色見本を取り出すことのできる色見本データとが設けられており、上記変換処理手段によって導出されたＲＧＢ値に対応する色見本が、上記画面表示手段に表示されるようになっているメイクアップカラーの配色提示装置を第７の要旨とする。
【００１５】
さらに、本発明は、そのなかでも、特に、上記変換処理手段として、上記画像情報処理手段から出力された（Ｂ／Ｒ）の値を算出し、この値を、予め設定された基準値と対比して、基準値から上になる肌色をピンク系、基準値から下になる肌色をイエロー系として分類する肌色分類手段と、上記肌色分類手段によって肌色がピンク系に分類された場合、上記肌色のＲＧＢ値のうち、Ｇ値、Ｂ値をそれぞれ１／２としたＲＧＢ値を、その肌色に適した基本口紅色のＲＧＢ値として導出し、上記肌色がイエロー系に分類された場合、上記肌色のＲＧＢ値のうち、Ｇ値を１／２としたＲＧＢ値となる色を、その肌色に適した基本口紅色のＲＧＢ値として導出するよう設定された口紅色変換手段とが設けられており、上記口紅色変換手段によって導出された基本口紅色のＲＧＢ値に対応する色見本が、メイクアップ対象者の肌色に適した口紅色として、上記画面表示手段の画面上に表示されるようになっているメイクアップカラーの配色提示装置を第８の要旨とする。
【００１６】
そして、本発明は、そのなかでも、特に、上記変換手段として、上記肌色分類手段および口紅色変換手段とともに、上記口紅色変換手段によって導出された基本口紅色のＲＧＢ値の、Ｒ値、Ｇ値、Ｂ値をそれぞれ１／２にしたＲＧＢ値と、同じく上記基本口紅色のＲＧＢ値の、Ｒ値、Ｇ値、Ｂ値をそれぞれ１／３にしたＲＧＢ値とを、その肌色に適したポイントメイクの色のＲＧＢ値として導出するよう設定されたポイントメイク色変換手段が設けられており、上記ポイントメイク色変換手段によって導出されたポイントメイクの色のＲＧＢ値に対応する色見本が、メイクアップ対象者の肌色に適したポイントメイクの色として、上記画面表示手段の画面上に表示されるようになっているメイクアップカラーの配色提示装置を第９の要旨とする。
【００１７】
また、本発明は、そのなかでも、特に、上記肌色分類手段、口紅色変換手段およびポイントメイク色変換手段とともに、上記口紅色変換手段によって導出された基本口紅色のＲＧＢ値から、その補色となる色のＲＧＢ値を導出するよう設定された補色変換手段が設けられており、上記補色変換手段によって導出された、基本口紅色の補色のＲＧＢ値に対応する色見本が、メイクアップ対象者の肌色に適したポイントメイクの色として、上記画面表示手段の画面上に表示されるようになっているメイクアップカラーの配色提示装置を第１０の要旨とする。
【００１８】
さらに、本発明は、前記第８の要旨である発明のなかでも、特に、上記肌色分類手段および口紅色変換手段とともに、上記肌色分類手段によって肌色がピンク系に分類された場合、上記肌色のＲＧＢ値の、Ｒ値、Ｇ値、Ｂ値をそれぞれ１／２にしたＲＧＢ値と、同じく上記肌色のＲＧＢ値の、Ｒ値、Ｇ値、Ｂ値をそれぞれ１／３にしたＲＧＢ値と、同じく上記肌色のＲＧＢ値の、Ｇ値をＢ値と同値にしたＲＧＢ値とを、その肌色に適したポイントメイクの色のＲＧＢ値として導出し、上記肌色分類手段によって肌色がイエロー系に分類された場合、上記肌色のＲＧＢ値の、Ｒ値、Ｇ値、Ｂ値をそれぞれ１／２にしたＲＧＢ値と、同じく上記肌色のＲＧＢ値の、Ｒ値、Ｇ値、Ｂ値をそれぞれ１／３にしたＲＧＢ値と、同じく上記肌色のＲＧＢ値の、Ｇ値をＲ値と同値にしたＲＧＢ値とを、その肌色に適したポイントメイクの色のＲＧＢ値として導出するよう設定されたポイントメイク色変換手段が設けられており、上記ポイントメイク色変換手段によって導出されたポイントメイクの色のＲＧＢ値に対応する色見本が、メイクアップ対象者の肌色に適したポイントメイクの色として、上記画面表示手段の画面上に表示されるようになっているメイクアップカラーの配色提示装置を第１１の要旨とする。
【００１９】
また、本発明は、そのなかでも、特に、上記肌色分類手段、口紅色変換手段、ポイントメイク色変換手段とともに、上記画像情報表示手段から出力された肌色のＲＧＢ値から、その補色となる色のＲＧＢ値を導出するよう設定された補色変換手段が設けられており、上記補色変換手段によって導出された、その肌色の補色のＲＧＢ値に対応する色見本が、メイクアップ対象者の肌色に適したポイントメイクの色として、上記画面表示手段の画面上に表示されるようになっているメイクアップカラーの配色提示装置を第１２の要旨とする。
【発明の効果】
【００２０】
すなわち、本発明のメイクアップカラーの配色提示方法によれば、化粧品販売員等が、メイクアップ化粧品の購入やメイクアップカウンセリング等を希望する顧客に対し、その顧客の肌色のＲＧＢ値を測定するだけで、そのＲＧＢ値を基に、その肌色に適した、一連のメイクアップカラーの配色を提示することができるため、顧客の肌色に適したメイクアップカラーを、即座に選択することができる。しかも、上記提示されるメイクアップカラーは、顧客の肌色のＲＧＢ値をベースに、そのＲ値、Ｇ値、Ｂ値の少なくとも一つを、特定の変換式にしたがって変換して得られる色であり、顧客の肌色と一元的に関連づけられた色であるため、互いの調和性が高く、統一された色調の組み合わせとなる。
【００２１】
なお、本発明において、顧客（メイクアップ対象者）に提示することのできるメイクアップカラーは、口紅色だけでなく、アイシャドウ、チークカラー等のポイントメイクの色についても、ＲＧＢ値を適宜変換させることにより、簡単に、好ましい色群を提示することができる。
【００２２】
そして、本発明のメイクアップカラーの配色提示装置によれば、上記メイクアップカラーの配色提示方法を、簡単かつ効率的に実施することができる。
【発明を実施するための最良の形態】
【００２３】
つぎに、本発明を実施するための最良の形態について説明する。
【００２４】
図１は、本発明のメイクアップカラーの配色提示装置の一実施の形態を示している。この装置は、メイクアップ化粧品の購入やメイクアップカウンセリングを希望する顧客に、その顧客の肌の色に適したメイクアップカラーの配色を提示するために、店頭に設置されるもので、顧客の肌色のＲＧＢ値を測定するための画像情報処理手段１と、パーソナルコンピュータ（以下「ＰＣ」という）２とを備えている。
【００２５】
上記画像情報処理手段１は、顧客の特定の部位（例えば頬、額等）の肌の色を画像として取り込み、その画像の色を、ＲＧＢ値（赤色系成分の数値：Ｒ値、緑色系成分の数値：Ｇ値、青色系成分の数値：Ｂ値）に分解して数値化するためのもので、例えば、画像取り込み専用の撮像ヘッドが好適に用いられる。
【００２６】
そして、上記画像情報処理手段１は、ＰＣ２の本体部３に接続されており、測定動作の指示、測定結果等が、上記ＰＣ２に接続されたカラーモニター４の画面４ａに表示されるようになっている。５は本体部３に接続されるキーボード等の入力手段である。
【００２７】
一方、上記ＰＣ２の本体部３には、図２に示すように、上記画像情報処理手段１から出力されたＲＧＢ値を処理するための情報処理手段として、上記ＲＧＢ値に基づき、その肌色がピンク系かイエロー系かを分類する肌色分類手段７と、上記肌色のＲＧＢ値を変換して、その肌色に適した口紅色のＲＧＢ値を導出する口紅色変換手段８と、上記口紅色のＲＧＢ値に基づき、その肌色に適したポイントメイクの色のＲＧＢ値を導出するポイントメイク色変換手段９と、同じく上記肌色のＲＧＢ値に基づき、その肌色に適したポイントメイクの色のＲＧＢ値を導出するポイントメイク色変換手段１０とが設けられている。
【００２８】
また、上記肌色に適した口紅色のＲＧＢ値を変換して、その口紅色の補色のＲＧＢ値を導出する補色変換手段１１と、上記肌色のＲＧＢ値を変換して、その肌色の補色のＲＧＢ値を導出する補色変換手段１２と、ＲＧＢ値ごとに、そのＲＧＢ値に対応する色見本を取り出すことのできる色見本データ１３とが設けられている。
【００２９】
より詳しく説明すると、上記情報処理手段により、下記の手順で、顧客の肌の色のＲＧＢ値が処理されるようになっている（図３参照）。すなわち、まず、上記画像情報処理手段１により、顧客の特定の部位の肌が撮像され、その画像から、その肌色のＲＧＢ値が測定される。この肌色を、以下「肌色Ａ」という。そして、そのＲＧＢ値が、上記肌色分類手段７に入力されると、そのＲ値とＢ値から、（Ｂ／Ｒ）の値が算出され、その値が、予め記憶された基準値（この例では０．７）と対比されて、０．７以上である場合、肌色Ａはピンク系、０．７未満である場合、上記肌色Ａはイエロー系として分類されるようになっている。
【００３０】
なお、上記基準値の設定は、日本人の成人女性１０００人のカラー写真の肌の色のＲＧＢ値を、上記画像情報処理手段１で測定し、その（Ｂ／Ｒ）の値を算出するとともに、ピンク系に見えるかイエロー系に見えるかを評価して、その境界線となる値を決定したものである。
【００３１】
そして、上記口紅色変換手段８では、上記肌色ＡのＲＧＢ値を用い、肌色Ａがピンク系に分類された場合と、肌色Ａがイエロー系に分類された場合で異なる変換式を適用して、肌色Ａに適した口紅色のＲＧＢ値が導出されるようになっている。すなわち、ピンク系の肌色Ａに対しては、上記肌色ＡのＲＧＢ値のうち、Ｇ値、Ｂ値をそれぞれ１／２としたＲＧＢ値が、その肌色Ａに適した口紅色のＲＧＢ値として導出され、イエロー系の肌色Ａに対しては、上記肌色ＡのＲＧＢ値のうち、Ｇ値を１／２としたＲＧＢ値が、その肌色Ａに適した口紅色のＲＧＢ値として導出されるようになっている。なお、上記口紅色を、以下「基本口紅色Ｂ」という。
【００３２】
また、上記ピンク系の肌色に対するＲＧＢ値の変換式と、イエロー系の肌色に対するＲＧＢ値の変換式は、前記肌色分類の基準値を決定する場合と同様、日本人の成人女性１０００人のカラー写真の肌の色と口紅の色のＲＧＢ値を測定し、互いの色の似合う、似合わないの評価と、各ＲＧＢ値との関係を解析することにより、決定したものである。さらに、以下に述べる、各種のＲＧＢ値の変換式についても、上記の手法に準じて決定したものである。
【００３３】
そして、上記ポイントメイク色変換手段９では、肌色Ａがピンク系、イエロー系にかかわらず、上記基本口紅色ＢのＲＧＢ値の、Ｒ値、Ｇ値、Ｂ値をそれぞれ１／２にしたＲＧＢ値と、同じく上記基本口紅色ＢのＲＧＢ値の、Ｒ値、Ｇ値、Ｂ値をそれぞれ１／３にしたＲＧＢ値とが、その肌色に適したポイントメイクの色のＲＧＢ値として導出されるようになっている。
【００３４】
さらに、上記ポイントメイク色変換手段１０では、ピンク系の肌色Ａに対しては、上記肌色ＡのＲＧＢ値の、Ｒ値、Ｇ値、Ｂ値をそれぞれ１／２にしたＲＧＢ値と、同じく上記肌色ＡのＲＧＢ値の、Ｒ値、Ｇ値、Ｂ値をそれぞれ１／３にしたＲＧＢ値と、上記肌色ＡのＲＧＢ値の、Ｇ値をＢ値と同値にしたＲＧＢ値とが、その肌色Ａに適したポイントメイクの色のＲＧＢ値として導出されるようになっている。また、イエロー系の肌色Ａに対しては、上記肌色ＡのＲＧＢ値の、Ｒ値、Ｇ値、Ｂ値をそれぞれ１／２にしたＲＧＢ値と、同じく上記肌色ＡのＲＧＢ値の、Ｒ値、Ｇ値、Ｂ値をそれぞれ１／３にしたＲＧＢ値と、上記肌色ＡのＲＧＢ値の、Ｇ値をＲ値と同値にしたＲＧＢ値とが、その肌色Ａに適したポイントメイクの色のＲＧＢ値として導出されるようになっている。
【００３５】
そして、上記基本口紅色Ｂの補色となる色Ｂ′のＲＧＢ値が、補色変換手段１１において導出され、上記肌色Ａの補色となる色Ａ′のＲＧＢ値が、補色変換手段１２において導出されるようになっている。
【００３６】
そして、これらの変換されたＲＧＢ値に対応する色見本が、色見本データ１３から取り出されて、ＰＣ２に接続されたカラーモニター４の画面４ａに、適宜表示されるようになっている。
【００３７】
上記装置を用い、例えばつぎのようにして、化粧品販売員（美容員、美容カウンセラー等を含む）が、来店した顧客に対し、その顧客の肌の色に適したメイクアップカラーの配色を提示して、好ましい色を組み合わせたメイクアップ化粧品の購入や、メイクアップ方法のカウンセリングを行うことができる。
【００３８】
まず、ＰＣ２のカラーモニター４の画面４ａに表示されるメニュー画面（図示せず）から、「測定」の項目を選択し、画面４ａに、画像情報処理手段１の操作手順を表示させる。そして、この操作手順に従い、画像情報処理手段１を用いて顧客の特定部位の肌の色を撮像することにより、そのＲＧＢ値を測定する。測定されたＲＧＢ値は、自動的にＰＣ２の本体部３に出力され、前記肌色分類手段７（図２参照）により、肌色Ａがピンク系かイエロー系かの分類がなされる。
【００３９】
この分類結果は、画面４ａに、図４に示すように表示される。すなわち、画面４ａの左上の四角枠２０内に、肌色ＡのＲＧＢ値のうち、Ｒ値とＢ値を用いて算出された、（Ｂ／Ｒ）の値が表示される。ただし、数値は、×１００（％）の形で、少数第１位までの数値として表示されるようになっている。そして、その下に、画面左右方向に延びる色見本帯２１が表示されており、その中央に、（Ｂ／Ｒ）×１００の値が７０％の肌色が示されている。そして、左にいくほどその値が小さくなって黄味が強くなる肌色が示され、右にいくほどその値が大きくなって赤味が強くなる肌色が示されている（図において、目盛りは省略）。そして、この色見本帯２１のどの位置に、上記測定された肌色Ａの（Ｂ／Ｒ）×１００の値が位置するかが、丸で囲われた「Ａ」２２で示されており、顧客は、自分の肌の色が、ピンク系とイエロー系のどちらに、どの程度の偏りで分類されるかを、一目で把握することができる。
【００４０】
つぎに、画面４ａの右下に設けられた「メニューへ」の見出し２３をクリックしてメニュー画面に戻り、「あなたに似合う口紅」という項目を選択すると、図５に示すように、前記口紅色変換手段８（図２参照）により、特定の変換式によって算出されたＲＧＢ値に対応する色見本が、基本口紅色Ｂとして、四角枠２４に表示される。また、この画面４ａには、前記肌色Ａの色見本が、四角枠２５に表示される。
【００４１】
さらに、この画面４ａには、上記基本口紅色Ｂの濃淡を変えた３種類の色Ｂ1 、Ｂ2 、Ｂ3 の色見本が、バリエーション色として、四角枠２６〜２８に表示されている。
【００４２】
したがって、顧客は、この画面４ａに表示された、基本口紅色Ｂとバリエーション色Ｂ1 、Ｂ2 、Ｂ3 の色見本を見て、自分の肌の色に適した口紅の色を、一目で知ることができる。そして、その中から最適な色を選択して、今後の口紅購入やメイクアップに役立てることができる。
【００４３】
なお、この画面４ａの左上には、「口紅」と「ポイントメイク（アイシャドウ・チーク等）」の見出し２９、３０が表示されており、上記「ポイントメイク…」の見出し３０をクリックすると、図６に示すように画面４ａの表示が変わるようになっている。もちろん、図５の画面４ａにおいて、右下の「メニューへ」の見出し２３をクリックしてメニュー画面に戻り、「あなたに似合うポイントメイク」という項目を選択することにより、図６の画面４ａに進むこともできる。
【００４４】
図６において、画面４ａの左上には、前記「口紅」を示す画面４ａと同様、「口紅」と「ポイントメイク（アイシャドウ・チーク等）」の見出し２９、３０が表示されており、上記「口紅」の見出し３０をクリックすると、前記図５の画面４ａに戻るようになっている。また、右下の「メニューへ」の見出し２３をクリックすると、メニュー画面に戻るようになっている。
【００４５】
上記図６の画面４ａの最上段には、前記ポイントメイク色変換手段９、１０、補色変換手段１１、１２により、特定の変換式によって算出された各ＲＧＢ値に対応する色見本群が、列状に示されるようになっている。すなわち、まず、最上段中央の四角枠３１には、前記基本口紅色Ｂの補色Ｂ′の色見本が表示され、その右の四角枠３２には、基本口紅色ＢのＲＧＢ値を１／２にした色Ｂ4 の色見本が表示され、その右隣の四角枠３３には、基本口紅色ＢのＲＧＢ値を１／３にした色Ｂ5 の色見本が表示されている。
【００４６】
また、最上段左端の四角枠３４には、前記肌色Ａの補色Ａ′の色見本が表示され、その右隣の四角枠３５には、前記肌色ＡのＲＧＢ値を１／２にした色Ａ1 の色見本が表示され、その右隣の四角枠３６には、前記肌色ＡのＲＧＢ値を１／３にした色Ａ2 の色見本が表示されている。そして、右端の四角枠３６には、前記肌色Ａがピンク系の場合、肌色ＡのＧ値をＢ値と同値にした色Ａ3 の色見本が表示され、前記肌色Ａがイエロー系の場合、肌色ＡのＧ値をＲ値と同値にした色Ａ3 の色見本が表示されるようになっている。
【００４７】
そして、その下には、最上段７色の各色の濃淡を変化させたバリエーション色の色見本が、上下３段に並んだ四角枠３７に表示されている。
【００４８】
また、最下段の各四角枠３８には、上記最上段７色の各色の補色となる色（左から順に、Ａ′の補色、すなわち肌色Ａ、Ａ1 ′、Ａ2 ′、Ｂ′の補色、すなわちＢ、Ｂ4 ′、Ｂ5 ′、Ａ3 ′）の色見本が表示されている。
【００４９】
したがって、顧客は、この画面４ａに表示された、Ａ′、Ａ1 、Ａ2 等の色見本を見て、自分の肌の色に適したポイントメイクの色を一目で知ることができる。そして、その中から最適な色を選択して、今後のアイシャドウやチークの購入、あるいはメイクアップに役立てることができる。
【００５０】
このように、顧客は、自分の肌に、異なる色のメイクアップ化粧品をつぎつぎと塗布して肌に重ねた色の感じを試してみなくても、ＰＣ２の画面４ａ上で、一括して、自分の肌に適した色群を知ることができるため、短時間で、簡単に、今後のメイクアップ化粧品の購入やメイクアップカウンセリングに役立つ色情報を得ることができる。そして、このようにして提示される色群は、ベースとなる肌色ＡのＲＧＢ値のＲ値、Ｇ値、Ｂ値の少なくとも一つを特定の変換式にしたがって変換させる、という手法により、系統立てて導出されているため、互いの色調に調和がとれており、バランスのよい印象のメイクアップを得ることができる。
【００５１】
なお、上記の例では、画像情報処理手段１として専用の撮像ヘッドを用い、これをＰＣ２と接続して操作するようにしたが、画像情報処理手段１を単独で操作して顧客の肌色のＲＧＢ値を測定し、その値から、化粧品販売員がＢ／Ｒ値を算出してＰＣ２に入力するようにしても差し支えない。そして、上記画像情報処理手段１は、上記撮像ヘッドに限らず、市販のデジタルビデオカメラやデジタルカメラ等を利用することができる。また、顧客の肌の実像を、そのまま撮像して取り込む以外に、撮影されたカラー映像やカラー写真から、その肌の色のＲＧＢ値を得るようにしてもよい。さらに、ＰＣ２にスキャナ等を接続し、カラー写真を取り込んで、その肌の色のＲＧＢ値を得るようにしてもよい。
【００５２】
また、上記の例では、肌色に適したポイントメイク色を導出するために、基本口紅色ＢのＲＧＢ値を変換するとともに、肌色ＡのＲＧＢ値を変換するようにしたが、これらの変換は、必ずしも両方を行う必要はなく、基本口紅色Ｂをベースにした変換と、肌色Ａをベースにした変換の、いずれか一方のみを行うようにしてもよい。そして、上記の例で用いた、各ＲＧＢ値の変換式は、必ずしも上記の例に限るものではなく、必要に応じて変更することができる。
【００５３】
さらに、基本口紅色Ｂの補色Ｂ′や、肌色Ａの補色Ａ′を、肌色Ａに適したポイントメイク色として導出することも、必ずしも必要ではなく、任意である。また、図５や図６において、好適な口紅色、好適なポイントメイク色として、濃淡を変えたバリエーション色を導出することも、任意である。
【００５４】
なお、上記の例において、画像情報処理手段１を用いて肌色を測定する部位は、特に限定するものではないが、通常、頬なら頬、額なら額、と測定する部位を決めておくことが好ましい。
【００５５】
また、本発明は、肌の色を基準にして、メイクアップカラーを提示するものであるが、メイクアップでつくりたい印象が、年代によって微妙に異なってくるため、例えば１０代、２０代、３０代、４０代、５０代、６０代以上、といった年代別に、変換式に補正値を加えることにより、顧客の肌色に適し、しかもその年代に適した色調を提示するようにしてもよい。
【００５６】
同様に、メイクアップでつくりたい印象が、季節によっても微妙に異なってくるため、例えば、春、夏、秋、冬の季節別に、変換式に補正値を加えることにより、顧客の肌色に適し、しかもその季節に適した色調を提示するようにしてもよい。
【００５７】
さらに、上記の例では、ＰＣ２の画面４ａを利用して、色見本を提示するようにしているが、例えば、予め、上記ＰＣ２の画面４ａの表示と同様に構成された冊子やカード等の表示物を用意しておき、これをめくって、該当する色見本を順次提示するようにしてもよい。ただし、その場合も、ＲＧＢ値を測定することは必要であり、画像情報処理手段１を用いて肌のＲＧＢ値を求めることが必要である。
【００５８】
そして、測定されたＲ値とＢ値から、Ｂ／Ｒ値を算出した上で、例えば図７に示すように、その値の大小によって複数種類用意された、典型的な肌色の色見本４０を提示し、その値に近似する肌色を特定する。そして、その肌色に応じて、その肌色ごとにまとめられた、その肌色に適した口紅色の色見本群や、その肌色に適したポイントメイク色の色見本群を提示することができる。
【図面の簡単な説明】
【００５９】
【図１】本発明の一実施例に用いる装置の説明図である。
【図２】上記装置のＰＣ本体部内の模式的なブロック図である。
【図３】上記情報処理手段を用いた情報処理のフロー図である。
【図４】上記装置におけるＰＣ画面の構成の説明図である。
【図５】上記装置におけるＰＣ画面の構成の説明図である。
【図６】上記装置におけるＰＣ画面の構成の説明図である。
【図７】本発明の他の実施例における色見本の提示形態の説明図である。
【符号の説明】
【００６０】
１  画像情報処理手段
【図１】
2008301882.tif 000003
【図２】
2008301882.tif 000004
【図３】
2008301882.tif 000005
【図４】
2008301882.tif 000006
【図５】
2008301882.tif 000007
【図６】
2008301882.tif 000008
【図７】
2008301882.tif 000009